(57)【特許請求の範囲】
【請求項１】
プルオーバータイプの衣類で、衿部が外側の生地と、内側の生地と、両者の間に位置する芯地とから構成されたスタンドカラーからなる衿を、身頃における首部の周縁に備えた衣類において、
上記衿部は、その周方向である横方向の伸長率が１０パーセント以上で、縦方向の伸長率が１０パーセント未満であり、
上記芯地は、上記衿部の周方向である横方向の伸長率が１０パーセント以上であり、上記衿部の上下方向である縦方向の伸長率が０乃至５パーセント未満であり、且つ、上記衿部の周方向である横方向への伸長率が上記外側の生地及び上記内側の生地の周方向の伸長率の８０％以上であり、
上記衿部は、上記衣服の首部の周縁に取り付けられ、上方に延長するスタンドカラー部と、左右の接続部と、フロントフライスとを備え、
上記左右の接続部は、上記スタンドカラー部の左右両端が相互に突き当たる部分の下方に、当該スタンドカラー部に連続して設けられたものであり、且つ、上記左右の接続部を介してスタンドカラー部と前身頃とが接続されたものであり、
上記フロントフライスは、フライス地から構成され、上記左右の接続部の内側に位置したものであり、
この上記フロントフライスは、右側の接続部と前身頃との接続部分と、左側の接続部と前身頃との接続部分との両接続部分間を接続するように設けられたものであることを特徴とする衿を備えた衣類。
【請求項２】
スタンドカラーの内側取り付け縁部を、伸縮性のあるカバーテープで被覆し、縫着したことを特徴とする請求項１記載の衿を備えた衣類。
【発明の詳細な説明】
【０００１】
【発明の属する技術分野】
本願発明は、スポーツウエア等の伸縮性を有するプルオーバータイプ（被り物）の衣類に適用されるスタンドカラー・タイプの衣類、特に、小学生を含む学生が体操時において着用するのに適する衣類の改良に関するものである。
【０００２】
【発明が解決しようとする課題】
スポーツウエア等の伸縮性を有するプルオーバータイプ（被り物）の衣類に適用されるスタンドカラーという衿タイプが存在する（図１（Ａ）参照）。
この衿タイプは、ファスナーを使用していないスタンド衿で、小学校を中心に学校体操服では一般的な仕様となっている。
この衿タイプにおいては、そのスタンドカラーを立たせて、その形態又は形状を保持する必要があるために、伸縮しない芯地を使うことによってその形態等を保持することが当業者間において一般常識となっていた。
【０００３】
しかしながら、従来のこのような伸縮しない芯地を使用すると、衿部の形態は良好に維持されるものの、衿部が伸縮しなくなり、着用に際して、着用者の頭部をその衿部に通しにくいというデメリットがあった。
従来のものにおいては、衿部のフロントに設けられたフライス地の伸縮で、児童等の頭部が入るように構成されていたが、児童の頭部は、その体に比較して相対的に大きいため、その頭部が入りにくいというのが現状で、これを解決するために衿周りをより広く形成しようとすると、着用時のおさまりが悪く、胸元が覗いてしまい、見た目も悪くなってしまうという問題があった。
そこで、本願発明においては、これらの問題を解決すべく、使用者の頭部が入りやすく、着用後のおさまりも良く、スタンドカラーの形態も良好に保持され、見た目も良好なスタンドカラータイプの衿部を備えた衣類を提供することをその課題としている。
【０００４】
【課題を解決するための手段】
上記の課題を解決するために、本願の請求項１に係る発明は、プルオーバータイプの衣類で、衿部が外側の生地と、内側の生地と、両者の間に位置する芯地とから構成されたスタンドカラーからなる衿を、身頃における首部の周縁に備えた衣類において、
上記衿部は、その周方向である横方向の伸長率が１０パーセント以上で、縦方向の伸長率が１０パーセント未満であり、
上記芯地は、上記衿部の周方向である横方向の伸長率が１０パーセント以上であり、上記衿部の上下方向である縦方向の伸長率が０乃至５パーセント未満であり、且つ、上記衿部の周方向である横方向への伸長率が上記外側の生地及び上記内側の生地の周方向の伸長率の８０％以上であり、
上記衿部は、上記衣服の首部の周縁に取り付けられ、上方に延長するスタンドカラー部と、左右の接続部と、フロントフライスとを備え、
上記左右の接続部は、上記スタンドカラー部の左右両端が相互に突き当たる部分の下方に、当該スタンドカラー部に連続して設けられたものであり、且つ、上記左右の接続部を介してスタンドカラー部と前身頃とが接続されたものであり、
上記フロントフライスは、フライス地から構成され、上記左右の接続部の内側に位置したものであり、
この上記フロントフライスは、右側の接続部と前身頃との接続部分と、左側の接続部と前身頃との接続部分との両接続部分間を接続するように設けられたものであることを特徴とする衿を備えた衣類。
【０００５】
この請求項１の発明により、衿部の芯地が、衿部の周方向に伸縮するため、そのスタンドカラーが立った状態を維持すると共に、衿部の周方向の長さが伸長し、例えば、小学校の児童がこれを着用する際に、その頭部がスムースに衣類の衿部を通過することができ、且つ、着用後の外観も何ら問題なく、その形態が良好に保持されたものとなるのである。特に、衿部の周方向に所定の伸長率を有し、且つその縦方向の伸長率の少ない芯地を採用することによって、それ故、その衿部の周方向の伸長率を高くし、尚且つ縦方向の伸長率を抑えて衿部の形態を良好に維持させることができる。具体的には、芯地は、衿部２０の周方向である横方向の伸長率が１０パーセント以上、望ましくは２０パーセント以上で、縦方向の伸長率が０乃至５パーセント未満である。これにより、具体的に、その衿部の周方向の長さが、約１０パーセント以上、望ましくは２０パーセント以上伸長することとなり、しかも、その縦方向の伸長率を縦方向の伸長率が１０パーセント未満に抑えたことによって、スタンドカラーの形態を良好に保持又は維持することができる。そして、上記芯地２３は、衿部２０の周方向である横方向の伸長率が、外側の生地２１及び内側の生地２２の同方向の伸長率の８０％以上とする。これにより、衿を構成する生地２１、２２の伸長性を大きく損なうことを防止できる。
また、上記衿部は、上記衣服の首部の周縁に取り付けられ、上方に延長するスタンドカラー部と、左右の接続部と、フロントフライスとを備え、
上記左右の接続部は、上記スタンドカラー部の左右両端が相互に突き当たる部分の下方に、当該スタンドカラー部に連続して設けられたものであり、且つ、上記左右の接続部を介してスタンドカラー部と前身頃とが接続されたものであり、
上記フロントフライスは、フライス地から構成され、上記左右の接続部の内側に位置したものであり、
この上記フロントフライスは、右側の接続部と前身頃との接続部分と、左側の接続部と前身頃との接続部分との両接続部分間を接続するように設けられたものであるため、上記フロントフライスも横方向に十分に伸縮することが出来る。このように、本願請求項１の発明においては、スタンドカラー部とフロントフライスの伸縮性により、小学校の児童が着用したときでも、衿部がその周方向に十分に伸長して、児童の頭部が無理なく、そのウエアの衿部を通過することが出来るものである。
【０００６】
本願の請求項２の発明は、スタンドカラーの内側取り付け縁部を、伸縮性のあるカバーテープで被覆し、縫着したことを特徴とするものを提供する。
【０００７】
【発明の実施の形態】
以下、添付の図面に従って本願発明の実施の形態について説明する。添付の図面は、すべて本願発明の実施形態を図示している。
図１（Ａ）は、本願発明に係るスタンドカラーを備えたスポーツウエアの正面図、図１（Ｂ）は、その衿の一方を広げた状態の正面説明図、図１（Ｃ）は、衿部の伸長方向を図示する正面説明図である。
図示したものは、スポーツ用のウエア１０で、これを構成する身生地は、着用者の運動時の動きを妨げることのないように、十分な伸縮性を備えたものからなる。この身生地は、通常２０パーセントから３０パーセントの伸長率を有するものである。
その衿部２０は、スタンドカラーと一般に呼ばれているもので、スタンドカラーからなり、ファスナー等が設けられていないタイプのものである。
【０００８】
より詳しくは、その衿部２０の構成は、ウエア１０の首部の周縁に取り付けられ、上方に延長するスタンドカラー部２０ｓと、このスタンドカラー部２０ｓの両端部、即ち、ウエア１０の前面中央で相互に突き当たる部分の下方に連続的に設けられ、前身頃１２と接続する接続部２０ｒ，２０ｒと、両接続部２０ｒの内側に位置し、両側の接続部２０ｒ，２０ｒと前身頃との接続部分を接続するようにフロントフライス２０ｆが設けられている。
図１（Ｂ）においては、向かって右側の一方の接続部２０ｒを手前側に広げ、その内側のフロントフライス２０ｆの一部が見えている状態を図示したものであるが、この衿部の構造は、左右対称に形成されている。
【０００９】
スタンドカラー部２０ｓは、図１（Ｃ）に図示した通り、衿部の周方向（横方向）の矢印Ｄの方向に伸縮することが出来る。同様に、フロントフライス２０ｆも同様に、図１（Ｂ）に図示した通り、衿部の周方向の矢印Ｄの方向に伸縮することが出来る。スタンドカラー部２０ｓ自体の構造は、後に説明する。
このように、本願発明においては、スタンドカラー部２０ｓ、及び、フロントフライス２０ｆの伸縮性により、小学校の児童が着用したときでも、衿部２０がその周方向に十分に伸長して、児童の頭部が無理なく、そのウエア１０の衿部を通過することが出来るものである。
【００１０】
図２は、スタンドカラー部の構造を示す説明図である。
このスタンドカラー部２０ｓは、外側に位置する身生地２１と、内側に位置するフライス地２２と、これら両者の間に位置する芯地２３とから構成されている。
フライス地２２は、リブ編みからなり、横方向に十分な伸縮性を有しており、上記フロントフライス２０ｆと同様の構成からなるものである。またこのフライス地２２は、横方向（衿部の周方向）の矢印Ｄの方向に３０パーセント乃至５０パーセント程度伸長しうるものである。
【００１１】
他方、身生地２１自体は、上述したように、２０パーセントから３０パーセント程度の伸長率を有するものである。
芯地２３も、同様に横方向（矢印Ｄの方向）に十分な伸縮性を有し、且つ一方の面に不織布が貼着されたものからなる。本願発明においては、その横方向への伸長率は、約１０パーセント以上あり、好ましくは２０パーセント以上であることが望まれる。他方、上下方向（縦方向）の伸長率は、自由に選定すればよいが、ほとんど０乃至５パーセントで、悪くても１０パーセント未満であることが望ましい。
【００１２】
この縦方向の伸長率をこのように少なく抑えることによってスタンドカラー部の形状が保持され、立った状態を良好に維持することができるのである。
このような構成により、スタンドカラー部２０ｓ自体は、その形態を保持しつつ、その首部の周方向に、少なくとも１０パーセント以上伸長することが出来るものとなる。
芯地２３の伸長率を、衿部２０を構成する他の素材との比較で示すと、横方向の伸長率が、外側の生地２１及び内側の生地２２の同方向の伸長率の８０％以上とする。これにより、衿全体の伸長性能を、芯地２３が大きく損なうことを防止できる。
【００１３】
図３は、芯地２３の構造を示す説明図であって、その（Ａ）は、芯地が伸長されていない状態を示し、その（Ｂ）が横方向に伸長された状態を図示している。
この芯地２３は、不織布から形成されており、繊維を蜘蛛の巣状に配置したものを樹脂加工と圧縮伸長しシート状にしたものである。
図３（Ａ）においては、細線で示した繊維２３ｆがポリエステルであり、太線で示した繊維２３ｇが高蜷縮糸ナイロンである。ポリエステル糸は、伸縮しないが、高蜷縮糸ナイロンは十分な伸縮性を有している。
そして、図３（Ａ）に図示の通り、縦方向に位置する高蜷縮糸ナイロンからなる繊維２３ｇを伸長させたままの状態で、樹脂加工を行う。これによって完成した芯地２３の縦方向の伸びが抑制される。
【００１４】
この完成した芯地を横方向に伸長させた状態を図３（Ｂ）が図示しているが、横方向に配置されている高蜷縮糸ナイロンからなる繊維２３ｇが伸長して、芯地２３は、横方向には十分に伸長するのである。
尚、この芯地においては、ナイロン５０パーセント、ポリエステル５０パーセントの割合で、ポリアミド樹脂によって樹脂加工したものを使用している。
また、芯地としては、上記の不織布芯以外に、各種の編地を使用した編物芯、或いは、各種の織地を使用した織物芯を使用する事ができる。
【００１５】
図４及び図５は、身生地、フライス地、及び芯地の縫製例の衿部正面図及び衿部断面図をそれぞれ図示しており、図４（Ａ）及び（Ｂ）は、カバーテープがスタンドカラー部２０ｓの後側の下縁内側に配設されたものを示し、図５（Ａ）及び（Ｂ）は、そのカバーテープが配設されていないものを図示している。
図４（Ａ）の例においては、芯地２３を身生地２１の内面にアイロン等を使用して熱溶着し、その内側からフライス地２２を接合して、そのフライス地２２と芯地が溶着された前記身生地２１の上縁部をそれぞれ内側に捲き込むようにして相互に縫製し、フライス地２２の下端縁部に伸縮性を有する布製のカバーテープ３０を被覆して縫製したものである。この例では、フライス地２２と身生地２３との上縁部の高さは、同じとなる。従って、その衿部２０の上方周縁部にはフライス地２２が表に現れてこない。
【００１６】
図４（Ｂ）の例においては、衿部の構造は、上記の図４（Ａ）に図示したものと同様であるが、フライス地２２の折り返し部２２ｔの位置を身生地２１の上端よりも高く配設している。これによって、そのスタンドカラー部２０ｓの上方周縁部にフライス地２２が表側に現れた状態となる。
伸縮性を有する布製のカバーテープ３０が使用されている点は、上記の例と同じである。
【００１７】
このように、これらの例では、衿部２０のスタンドカラー部２０ｓの下縁の縫製部に、伸縮性を有する帯状のソフトな肌触りの布製カバーテープ３０を被覆するように縫着している。この部分の縫製は、いわゆるオーバーロックミシンがけによって行う。
この伸縮性を有するカバーテープ３０は、スタンドカラー部２０ｓの伸縮を保証するためと、着用者がこのウエアを着用した際に、縫製部の肌触りを良好に維持するためである。
尚、このカバーテープ３０は、スタンドカラー部２０ｓの下縁縫製部の一部、とりわけ着用者の首部の後側に主に取り付けられていればよいが、その全体に設けても良い。またカバーテープの素材も、伸縮性があり、ソフトな肌触りのものであればよく、その中から自由に選択できる。
【００１８】
図５（Ａ）及び（Ｂ）に図示したものは、上記の例と異なりカバーテープを使用していない例を示している。その他の構成は、上記の例と同様である。
即ち、芯地２３を身生地２１の内面にアイロン等を使用して熱溶着し、その内側からフライス地２２を接合して、そのフライス地２２と芯地が溶着された前記身生地２１の上縁部をそれぞれ内側に捲き込むようにして相互に縫製し、スタンドカラー部２３ｓの下端縁部にはカバーテープが配設されていないものである。  そして、図５（Ａ）に図示したものは、フライス地２２と身生地２１の高さを同等とし、図５（Ｂ）にあっては、フライス地２２の高さを身生地２１よりも高く配設することによって、後者においてはフライス地２２がスタンドカラー部２３ｓの上縁から表側に現れた状態となる。
【００１９】
以上、実施の形態について説明したが、本願発明においては、衿部のカラーサイズ（衿周りの大きさ）や、スタンドカラー部の高さ、並びに、その形状等は、このスタンドカラータイプの形式の範囲内で、適宜変更して設定することができる。特に、身頃と衿部とを同じ素材又は別素材で別体に形成した後、両者縫製等によって結合してもよい。
以上の構成からなる本願発明に係るスタンドカラー型の衿構造においては、衿部が良好に立った状態を維持すると共に、芯地の伸縮性により、衿部がその周方向に都合よく伸縮することが出来、小学校の児童等が着用する際にも、スムースにその頭部をウエアの衿部に挿通させることが出来るものとなるのである。
【００２０】
【発明の効果】
本願の請求項１の衿においては、スタンドカラーが立った状態を維持すると共に、衿部の周方向の長さが伸長し、例えば、小学校の児童がこれを着用する際においても、その頭部がスムースに衣類の衿部を通過することができ、且つ、着用後の衿部の外観も何ら問題なく、その形態が良好に保持されたものとなる。さらに、本願の請求項２の発明によって、スタンドカラーの内側取り付け縁部がカバーテープによって被覆されているために、衿部の伸縮性が保証されると同時に、衿部と後ろ身頃との縫製部の肌触りも良好なものとなる。
【図面の簡単な説明】
【図１】  図１（Ａ）は、本願発明に係るスタンドカラーを備えたスポーツウエアの正面図、図１（Ｂ）は、その衿の一方を広げた状態の正面説明図、図１（Ｃ）は、衿部の伸長方向を図示する正面説明図である。
【図２】  本願発明に係るスタンドカラー部の構造を示す説明図である。
【図３】  本願発明に係る芯地の構造を示す説明図であって、その（Ａ）は、芯地が伸長されていない状態を示し、その（Ｂ）が横方向に伸長された状態を図示している。
【図４】  本願発明に係る衿部正面図及び衿部断面図をそれぞれ図示しており、図４（Ａ）及び（Ｂ）共に、カバーテープが配設されたものを示している。
【図５】  本願発明に係る衿部正面図及び衿部断面図をそれぞれ図示しており、図５（Ａ）及び（Ｂ）共に、カバーテープが配設されていないものを図示している。
【符号の説明】
１０…ウエア、２０…衿部、２０ｆ…フロントフライス、２０ｓ…スタンドカラー部、２０ｒ…接続部、２１…身生地、２２…フライス地、２３…芯地、３０…カバーテープ。
【図１】
0004580116.tif 000002
【図２】
0004580116.tif 000003
【図３】
0004580116.tif 000004
【図４】
0004580116.tif 000005
【図５】
0004580116.tif 000006